(57)【要約】      （修正有）【課題】光路が視聴者に遮断されることを防止し、色々なスクリーンに用いることができる、スクリーンプロジェクターシステム、方法及び装置を提供する。【解決手段】表示スクリーンは、全体密閉型ケース構造または一部分密閉型ケース構造を有し、ケース構造の内部には視野角が１８０度から３６０度である連続画像が水平方向に提供される。少なくとも２組のプロジェクターを更に含み、各組のプロジェクターは少なくとも１台のプロジェクターを含む。この少なくとも２組のプロジェクターは、表示スクリーンの軸線方向において層別に配置され、各組のプロジェクターは画像を表示スクリーンの内壁の所定の部分にそれぞれ投影し、少なくとも２組のプロジェクターの光路が視聴者およびその椅子に遮断されることを避けるようにし、中心軸線は表示スクリーンの中心を通過するとともに表示スクリーンを左右対称の状態に分ける。【選択図】図１４
2020092450.tif 000002
【特許請求の範囲】
【請求項１】
スクリーンプロジェクターシステムであって、
前記システムは表示スクリーンおよび複数列の座席を含み、
前記表示スクリーンは全体密閉型ケース構造または一部分密閉型ケース構造を有し、
前記ケース構造の内壁には１８０度から３６０度の水平パノラマビューで連続画像が提供され、
前記ケース構造は筒部と該筒部に接続された端部とを含み、
前記筒部は略矩形の水平断面を有し、
前記端部は円弧状の水平断面を有し、
前記複数列の座席は視聴者が前記端部を向くことができるように構成されており、
前記システムは少なくとも２組のプロジェクターを更に含み、各組のプロジェクターは少なくとも１台のプロジェクターを含み、
前記少なくとも２組のプロジェクターは垂直方向において前記表示スクリーンの異なる高さに配置され、
各組のプロジェクターは画像を前記表示スクリーンの内壁の一部分にそれぞれ投影するように構成され、
前記少なくとも２組のプロジェクターの光路が前記視聴者および前記複数列の座席に遮断されることを避けるように構成され、
各組のプロジェクターは投影区域が異なっていることにより表示待ち画像が水平方向に分割されて形成された子画像を投影するように構成されており、
前記表示スクリーンの前記内壁上で前記子画像を合わせることにより無欠の表示待ち画像を形成することを特徴とするスクリーンプロジェクターシステム。
【請求項２】
前記各組のプロジェクターは２つ以上のプロジェクターを含み、前記各組のプロジェクター中の各前記プロジェクターは前記子画像のひとつが垂直方向に分割された画像を投影し、かつ、ある組のプロジェクターの前記２つ以上のプロジェクターから投影された前記垂直方向に分割された画像を合わせることにより前記子画像のひとつを形成することを特徴とする請求項１に記載のスクリーンプロジェクターシステム。
【請求項３】
前記少なくとも２組のプロジェクターにおいて、少なくとも１組のプロジェクターは前記表示スクリーンの上部に画像を投影し、少なくとも１組のプロジェクターは前記表示スクリーンの中央部分に画像を投影することを特徴とする請求項２に記載のスクリーンプロジェクターシステム。
【請求項４】
前記少なくとも２組のプロジェクターは、垂直方向において上部に取り付けられる第一組のプロジェクターと、垂直方向において下部に取り付けられる第二組のプロジェクターとであり、前記第一組のプロジェクターは画像を前記表示スクリーンの内壁の中央部分に投影するとともに前記表示待ち画像の下半部分の画像を投影し、前記第二組のプロジェクターは画像を前記表示スクリーンの内壁の上部に投影するとともに前記表示待ち画像の上半部分の画像を投影することを特徴とする請求項３に記載のスクリーンプロジェクターシステム。
【請求項５】
前記表示待ち画像の下半部分の画像の１つの辺縁部と前記表示待ち画像の上半部分の画像の少なくとも３つの辺縁部を合わせることを特徴とする請求項４に記載のスクリーンプロジェクターシステム。
【請求項６】
前記システムは画像供給処理装置を更に含み、前記画像供給処理装置は前記プロジェクターの数量と位置に基づき画像を分割し、分割された隣接する子画像はいずれも重畳辺縁部を有し、分割された子画像は所定のプロジェクターにそれぞれ送信されることを特徴とする請求項１に記載のスクリーンプロジェクターシステム。
【請求項７】
スクリーンプロジェクターシステムに用いられるスクリーンプロジェクター方法であって、
前記システムは表示スクリーンおよび複数列の座席を含み、
前記表示スクリーンは全体密閉型ケース構造または一部分密閉型ケース構造を有し、
前記ケース構造の内壁には１８０度から３６０度のパノラマビューで連続画像が提供され、
前記ケース構造は筒部と該筒部に接続された端部とを含み、
前記筒部は略矩形の水平断面を有し、
前記端部は円弧状の水平断面を有し、
前記複数列の座席は視聴者が前記端部を向くことができるように構成されており、
前記システムは少なくとも２組のプロジェクターを含み、各組のプロジェクターは少なくとも１台のプロジェクターを含み、
前記少なくとも２組のプロジェクターは垂直方向において前記表示スクリーンの異なる高さに配置され、
各組のプロジェクターは画像を前記表示スクリーンの内壁の一部分にそれぞれ投影するように構成され、
前記少なくとも２組のプロジェクターの光路が前記視聴者および前記複数列の座席に遮断されることを避けるように構成され、
前記スクリーンプロジェクター方法は、各組のプロジェクターが投影区域が異なっていることにより表示待ち画像が水平方向に分割されて形成された子画像を投影するステップと、
前記表示スクリーンの前記内壁上で前記子画像を合わせることにより無欠の表示待ち画像を形成するステップとを含むことを特徴とするスクリーンプロジェクター方法。
【請求項８】
前記スクリーンプロジェクター方法は、前記各組のプロジェクターが投影区域が異なっていることにより表示待ち画像が水平方向に分割されて形成された子画像を投影するステップの前に、前記プロジェクターの数量と位置に基づき画像を分割し、分割された隣接する子画像はいずれも重畳辺縁部を有し、分割された子画像を所定のプロジェクターにそれぞれ送信するステップを更に含むことを特徴とする請求項７に記載のスクリーンプロジェクター方法。
【請求項９】
表示スクリーンに画像を投影するスクリーンプロジェクター装置であって、
前記表示スクリーンは全体密閉型ケース構造または一部分密閉型ケース構造を有し、
前記ケース構造の内壁には１８０度から３６０度のパノラマビューで連続画像が提供され、
前記ケース構造は筒部と該筒部に接続された端部とを含み、
前記筒部は略矩形の水平断面を有し、
前記端部は円弧状の水平断面を有し、
前記スクリーンプロジェクター装置は少なくとも２組のプロジェクターを更に含み、各組のプロジェクターは少なくとも１台のプロジェクターを含み、
前記少なくとも２組のプロジェクターは垂直方向において前記表示スクリーンの異なる高さに配置され、
各組のプロジェクターは画像を前記表示スクリーンの内壁の一部分にそれぞれ投影するように構成され、
前記少なくとも２組のプロジェクターの光路が視聴者および前記視聴者が前記端部を向くことができるように構成されている座席に遮断されることを避けるように構成され、
各組のプロジェクターは投影区域が異なっていることにより表示待ち画像が水平方向に分割されて形成された子画像を投影するように構成されており、
前記表示スクリーンの前記内壁上で前記子画像を合わせることにより無欠の表示待ち画像を形成することを特徴とするスクリーンプロジェクター装置。
【請求項１０】
前記各組のプロジェクターは２つ以上のプロジェクターを含み、前記各組のプロジェクター中の各前記プロジェクターは前記子画像のひとつが垂直方向に分割された画像を投影し、かつ、ある組のプロジェクターの前記２つ以上のプロジェクターから投影された前記垂直方向に分割された画像を合わせることにより前記子画像のひとつを形成することを特徴とする請求項９に記載のスクリーンプロジェクター装置。
【請求項１１】
前記少なくとも２組のプロジェクターにおいて、少なくとも１組のプロジェクターは前記表示スクリーンの上部に画像を投影し、少なくとも１組のプロジェクターは前記表示スクリーンの中央部分に画像を投影することを特徴とする請求項１０に記載のスクリーンプロジェクター装置。
【請求項１２】
前記少なくとも２組のプロジェクターは、垂直方向において上部に取り付けられる第一組のプロジェクターと、垂直方向において下部に取り付けられる第二組のプロジェクターとであり、前記第一組のプロジェクターは画像を前記表示スクリーンの内壁の中央部分に投影するとともに前記表示待ち画像の下半部分の画像を投影し、前記第二組のプロジェクターは画像を前記表示スクリーンの内壁の上部に投影するとともに前記表示待ち画像の上半部分の画像を投影することを特徴とする請求項１１に記載のスクリーンプロジェクター装置。
【請求項１３】
前記表示待ち画像の下半部分の画像の１つの辺縁部と前記表示待ち画像の上半部分の画像の少なくとも３つの辺縁部を合わせることを特徴とする請求項１２に記載のスクリーンプロジェクター装置。
【請求項１４】
前記装置は画像供給処理装置を更に含み、前記画像供給処理装置は前記プロジェクターの数量と位置に基づき画像を分割し、分割された隣接する子画像はいずれも重畳辺縁部を有し、分割された子画像は所定のプロジェクターにそれぞれ送信されることを特徴とする請求項９に記載のスクリーンプロジェクター装置。
【請求項１５】
映画館プロジェクターシステムであって、
不動ケース構造と、第一組のプロジェクターと、第二組のプロジェクターと、複数列の座席と、を備え、
前記ケース構造は、表示スクリーンとして働く内壁を有し、かつ、１８０度から３６０度の水平パノラマビューで連続画像を提供するように構成されており、
前記ケース構造は筒部と該筒部に接続された端部とを含み、
前記端部は円弧状の水平断面を有し、
前記第一組のプロジェクター及び前記第二組のプロジェクターは、垂直方向において前記表示スクリーンの異なる高さに配置され、
前記第一組のプロジェクター及び前記第二組のプロジェクターの各組は前記内壁の一部分に投影するように構成されており、
前記第一組のプロジェクター及び前記第二組のプロジェクターは前記第一組のプロジェクター及び前記第二組のプロジェクターの光路が視聴者及び前記複数列の座席に遮断されることを避けるようにさらに構成されており、
前記複数列の座席は前記筒部内に位置しており、
前記第一組のプロジェクター及び前記第二組のプロジェクターは表示待ち画像が水平方向に分割されて形成された子画像を投影するように構成されており、
前記表示スクリーンの前記内壁上で前記子画像を合わせることにより無欠の表示待ち画像を形成することを特徴とする映画館プロジェクターシステム。
【請求項１６】
前記複数列の座席は前記筒部内に配置されていることを特徴とする請求項１５に記載の映画館プロジェクターシステム。
【発明の詳細な説明】
【技術分野】
【０００１】
［関連出願への相互参照］
この出願は、出願日が２０１５年８月１１日、出願番号が２０１５１０４９０７６２．９、発明の名称が「スクリーンプロジェクターシステム、方法および装置」である中国特許出願の優先権と、出願日が２０１５年８月１１日、出願番号が２０１５２０６０２６４８．６、発明の名称が「スクリーンプロジェクターシステムおよび装置」である中国特許出願の優先権とを主張し、これら中国特許出願の全内容を本願に援用する。
【０００２】
［技術分野］
本発明は、表示技術に関し、特に、スクリーンプロジェクターシステム、方法、および装置に関するものである。
【背景技術】
【０００３】
この部分を説明する目的は特許請求の範囲と明細書の実施例に向けて背景技術または関連文献を提供することにある。この部分に記載されている事項はいずれも従来の技術になると認めてはいけない。
【０００４】
人類の情報伝播技術を発展させる目的は情報のエントロピーを低減することにあり、最終の目的は情報のエントロピーをゼロにすることにより真実に近付く情報を獲得することにある。映画の発展に伴い、表示装置は変革、発展、更新されている。
【０００５】
従来のスクリーンプロジェクターは多数がワンスクリーンプロジェクターである。実際の応用において、平面型スクリーンのサイズが制限されているので、視聴者に無境界な感覚のある表示効果を与えることができない。無境界とは、一般の視聴者は可視範囲内において表示装置の表示画面と現実世界との間の境界を感知することができないことを意味する。すなわち、視聴者は表示スクリーンの境界を感知することができないので、高臨場感を獲得することができる。視聴者に与える無境界感を改善するため、色々な表示スクリーン、例えば平面スクリーンや球面スクリーンなどが現在既に存在する。各表示スクリーンの形状は異なっているので、プロジェクターの作動方法が異なる。
【０００６】
例えば、特許文献１（登録日２０１４年８月２６日）には３Ｄ映画システムが公開されている。この３Ｄ映画システムは対向する２つの平面スクリーンを含み、プロジェクターは２つの平面スクリーンの間に設けられ、半透明半反射型鏡面によりプロジェクターの画像をこの２つの平面スクリーンに同時投影する。しかしながら、半透明半反射型鏡面によって形成された画像の画質と画像の解像度がよくないので、実際の応用においてこのような投影方法をよく使わない。
【０００７】
球面スクリーン映画システムを円弧スクリーン映画システムまたは円形スクリーン映画システムともいい、これは２０世紀７０年代に現れた大型スクリーン映画システムである。球面スクリーン映画システムのスクリーンは、球体の半分、球体の１／３、球体の１／４などの形状になっており、視聴者はスクリーンに包囲され、この内部にステレオ音声が流れることにより視聴者は高臨場感を獲得することができる。
【０００８】
球面スクリーンは特殊な形状を有しているので、この投影方法は平面スクリーンの投影方法と異なっている。実際の応用において、球面スクリーンの常用投影方法は正投影方法であり、複数個のプロジェクターが球面スクリーンの辺縁に均等に配置され、この複数個のプロジェクターは球面スクリーンの内壁に向かって投影をする。図１を参照すると、図面中の５個のプロジェクター２は球面スクリーン１の辺縁に均等に配置され、各プロジェクター２は所定の扇形投影区域の投影を担当し、隣接する２つの扇形投影区域の間には重畳区域が形成される。隣接する２個のプロジェクターの投影によって形成される画像の辺縁は重畳し、辺縁画像重畳技術によりこの２つの画像を一体にすることにより、すべての画像の接続によって形成された完璧な半球型画像を獲得し、これを半球面スクリーンに表示することができる。図２を参照すると、この図面は球面スクリーンの断面を示す図である。この図面には５個のプロジェクター２のうちの２個のプロジェクターの投影範囲が示されている。図２において、プロジェクターＭの投影範囲は線ＡＢで示され、プロジェクターＮの投影範囲は線ＣＤで示され、点線で投影の光路を示す。
【０００９】
正投影方法を採用するとき、プロジェクターの光路が視聴者に遮断されることを防止するため、視聴者の椅子をプロジェクターの投影光路の後方に設ける必要がある。しかし、スクリーンの形状が規則的な球形でない場合、視聴者の椅子をプロジェクターの投影光路の後方に設けると、視聴者が全角度の画像を獲得することを確保することができない。
【先行技術文献】
【特許文献】
【００１０】
【特許文献１】米国特許第８８１４３６７号明細書
【発明の概要】
【発明が解決しようとする課題】
【００１１】
従来の技術の問題を解決するため、本発明は、光路が視聴者に遮断されることを防止し、色々なスクリーンに用いることができる、スクリーンプロジェクターシステム、方法、および装置を提供する。
【課題を解決するための手段】
【００１２】
本発明の実施例では、スクリーンプロジェクターシステムであって、前記システムは表示スクリーンを含み、前記表示スクリーンは全体密閉型ケース構造または一部分密閉型ケース構造を有し、前記ケース構造の内部には視野角が１８０度から３６０度である連続画像が水平方向に提供され、前記システムは少なくとも２組のプロジェクターを更に含み、各組のプロジェクターは少なくとも１台のプロジェクターを含み、
前記少なくとも２組のプロジェクターは前記表示スクリーンの中心軸線方向において層別に配置され、各組のプロジェクターは画像を前記表示スクリーンの内壁の所定の部分にそれぞれ投影し、前記少なくとも２組のプロジェクターの光路が視聴者およびその椅子に遮断されることを避けるようにし、前記中心軸線は前記表示スクリーンの中心を通過するとともに前記表示スクリーンを左右対称の状態に分け、
各組のプロジェクターは投影区域が異なっていることにより表示待ち画像が横方向に分割されて形成された子画像を投影しかつ前記子画像を合わせることにより無欠の表示待ち画像を形成するスクリーンプロジェクターシステムが提供される。
【００１３】
本発明の一実施例では、前記各組のプロジェクター中の各プロジェクターは画像を前記表示スクリーンの内壁において表示スクリーンの中心軸線方向の垂直方向の所定の区域に投影し、各プロジェクターは、投影区域が異なっていることにより前記子画像が縦方向に分割されて形成された縦方向の子画像を投影し、かつ前記縦方向の子画像を合わせることにより前記子画像を形成する。
【００１４】
本発明の一実施例では、前記少なくとも２組のプロジェクターにおいて、少なくとも１組のプロジェクターは前記表示スクリーンの上部に画像を投影し、少なくとも１組のプロジェクターは前記表示スクリーンの中央部分に画像を投影する。
【００１５】
本発明の一実施例では、前記少なくとも２組のプロジェクターは、前記表示スクリーンの中心軸線方向の上部に取り付けられる第一組のプロジェクターと、前記表示スクリーンの中心軸線方向の下部に取り付けられる第二組のプロジェクターとであり、前記第一組のプロジェクターは画像を前記表示スクリーンの内壁の中央部分に投影するとともに前記表示待ち画像の下半部分の画像を投影し、前記第二組のプロジェクターは画像を前記表示スクリーンの内壁の上部に投影するとともに前記表示待ち画像の上半部分の画像を投影する。
【００１６】
本発明の一実施例では、前記表示待ち画像の下半部分の画像の１つの辺縁部と前記表示待ち画像の上半部分の画像の少なくとも３つの辺縁部を合わせる。
【００１７】
本発明の一実施例では、前記システムは画像供給処理装置を更に含み、前記画像供給処理装置は前記プロジェクターの数量と位置に基づき画像を分割し、分割された隣接する子画像はいずれも重畳辺縁部を有し、分割された子画像は所定のプロジェクターにそれぞれ送信される。
【００１８】
本発明の一実施例では、スクリーンプロジェクターシステムに用いられるスクリーンプロジェクター方法であって、前記システムは表示スクリーンを含み、前記表示スクリーンは全体密閉型ケース構造または一部分密閉型ケース構造を有し、前記ケース構造の内部には視野角が１８０度から３６０度である連続画像が水平方向に提供され、前記システムは少なくとも２組のプロジェクターを含み、各組のプロジェクターは少なくとも１台のプロジェクターを含み、
前記少なくとも２組のプロジェクターは前記表示スクリーンの中心軸線方向に沿って層別に配置され、各組のプロジェクターは画像を前記表示スクリーンの内壁の所定の部分にそれぞれ投影し、前記少なくとも２組のプロジェクターの光路が視聴者およびその椅子に遮断されることを避けるようにし、前記中心軸線は前記表示スクリーンの中心を通過するとともに前記表示スクリーンを左右対称の状態に分け、
前記スクリーンプロジェクター方法は、各組のプロジェクターが投影区域が異なっていることにより表示待ち画像が横方向に分割されて形成された子画像を投影するステップと、
前記子画像を合わせることにより無欠の表示待ち画像を形成するステップとを含む、スクリーンプロジェクター方法を更に提供する。
【００１９】
本発明の一実施例では、前記スクリーンプロジェクター方法は、前記各組のプロジェクターが投影区域が異なっていることにより表示待ち画像が横方向に分割されて形成された子画像を投影するステップの前に、前記プロジェクターの数量と位置に基づき画像を分割し、分割された隣接する子画像はいずれも重畳辺縁部を有し、分割された子画像を所定のプロジェクターにそれぞれ送信するステップを更に含む。
【００２０】
本発明の一実施例では、表示スクリーンに画像を投影するスクリーンプロジェクター装置であって、前記表示スクリーンは全体密閉型ケース構造または一部分密閉型ケース構造を有し、前記ケース構造の内部には視野角が１８０度から３６０度である連続画像が水平方向に提供され、前記スクリーンプロジェクター装置は少なくとも２組のプロジェクターを更に含み、各組のプロジェクターは少なくとも１台のプロジェクターを含み、
前記少なくとも２組のプロジェクターは前記表示スクリーンの中心軸線方向において層別に配置され、各組のプロジェクターは画像を前記表示スクリーンの内壁の所定の部分にそれぞれ投影し、前記少なくとも２組のプロジェクターの光路が視聴者およびその椅子に遮断されることを避けるようにし、前記中心軸線は前記表示スクリーンの中心を通過するとともに前記表示スクリーンを左右対称の状態に分け、
各組のプロジェクターは投影区域が異なっていることにより表示待ち画像が横方向に分割されて形成された子画像を投影し、前記子画像を合わせることにより無欠の表示待ち画像を形成するスクリーンプロジェクター装置を更に提供する。
【００２１】
本発明の一実施例では、前記各組のプロジェクター中の各プロジェクターは画像を前記表示スクリーンの内壁において表示スクリーンの中心軸線方向の垂直方向の所定の区域に投影し、各プロジェクターは投影区域が異なっていることにより前記子画像が縦方向に分割されて形成された縦方向の子画像を投影しかつ前記縦方向の子画像を合わせることにより前記子画像を形成する。
【００２２】
本発明の一実施例では、前記少なくとも２組のプロジェクターにおいて、少なくとも１組のプロジェクターは前記表示スクリーンの上部に画像を投影し、少なくとも１組のプロジェクターは前記表示スクリーンの中央部分に画像を投影する。
【００２３】
本発明の一実施例では、前記少なくとも２組のプロジェクターは、前記表示スクリーンの中心軸線方向の上部に取り付けられる第一組のプロジェクターと、前記表示スクリーンの中心軸線方向の下部に取り付けられる第二組のプロジェクターとであり、前記第一組のプロジェクターは画像を前記表示スクリーンの内壁の中央部分に投影するとともに前記表示待ち画像の下半部分の画像を投影し、前記第二組のプロジェクターは画像を前記表示スクリーンの内壁の上部に投影するとともに前記表示待ち画像の上半部分の画像を投影する。
【００２４】
本発明の一実施例では、前記表示待ち画像の下半部分の画像の１つの辺縁部と前記表示待ち画像の上半部分の画像の少なくとも３つの辺縁部を合わせる。
【００２５】
本発明の一実施例では、前記装置は画像供給処理装置を更に含み、前記画像供給処理装置は前記プロジェクターの数量と位置に基づき画像を分割し、分割された隣接する子画像はいずれも重畳辺縁部を有し、分割された子画像は所定のプロジェクターにそれぞれ送信される。
【００２６】
本発明の実施例の技術的事項と従来の技術の技術的事項をより詳細に説明するため、以下、本発明の実施例または従来の技術中の図面を簡単に説明する。以下の図面は本発明の一部分の図面にしか過ぎず、本発明のすべての図面を示すものではない。本技術分野の技術者が創造的な発明をせずに容易に想到できる他の図面があれば、これらが本発明に含まれることは勿論である。
【図面の簡単な説明】
【００２７】
【図１】従来の技術の球面スクリーンの投影方法を示す図である。
【図２】従来の技術の正投影方法における軸方向の断面を示す図である。
【図３】カプセル形状の表示スクリーンを示す図である。
【図４】表示スクリーンの筒部の軸方向の断面が平滑な円弧に形成されていることを示す図である。
【図５】全体密閉型ケース構造の軸方向の断面が直線に形成されていることを示す図である。
【図６】本発明のスクリーンプロジェクターシステムの実施例を示す構造図である。
【図７】本発明のスクリーンプロジェクターシステムの実施例における第一プロジェクターの投影位置を示す図である。
【図８】本発明のスクリーンプロジェクターシステムの実施例における第二プロジェクターの画像を示す図である。
【図９】本発明のスクリーンプロジェクターシステムの実施例における第三プロジェクターの画像を示す図である。
【図１０】本発明のスクリーンプロジェクターシステムの実施例における第四プロジェクターの画像を示す図である。
【図１１】本発明のスクリーンプロジェクターシステムの実施例における２組のプロジェクターの画像を示す図である。
【図１２】従来の技術の画像の重畳辺縁部を示す図である。
【図１３】本発明のスクリーンプロジェクターシステムの実施例における、上部の画像と画像の重畳辺縁部を示す図である。
【図１４】本発明のスクリーンプロジェクターシステムの実施例において視聴者の座席が設けられている映画館システムを示す図である。
【図１５】本発明のスクリーンプロジェクター方法の実施例を示す流れ図である。
【図１６】本発明のスクリーンプロジェクター方法の他の実施例を示す流れ図である。
【発明を実施するための形態】
【００２８】
現在、新型表示スクリーンが提案されている。この新型表示スクリーンは全体密閉型ケース構造または一部分密閉型ケース構造を有し、このケース構造の内部には視野角が１８０度から３６０度である連続画像が水平方向に提供される。このケース構造は筒部を含み、筒部の側壁の軸方向の断面は平滑な円弧に形成されるかまたは直線に形成される。ケース構造は１個または２個の端部を更に含み、この１個または２個の端部と前記筒部は平滑な構造により連結される。例として図３を参照すると、この図面において、表示スクリーンの筒部は円柱体であり、円柱体の側壁の軸方向の断面は直線に形成され、２個の端部はいずれも半球構造に形成されている。視聴者は円柱体側に位置し、半球体側に向いて画像を見る。この新型表示スクリーンの筒部は端部から延伸し、端部と筒部により画像を表示するとき、視聴者は高臨場感を獲得し、視聴者に無境界感を与えることができる。
【００２９】
正投影方法を採用するとき、視聴者の椅子をプロジェクターの投影光路の後方に設ける必要がある。図３の新型表示スクリーンが正投影方法によって画像を投影するとき、２つの側面に投影されるプロジェクターの投影光路は視聴者に遮断されるので、２つの側面には完璧な画像が形成され得ない。この場合、視聴者は真前の完璧な画像と側面の不完璧な画像とを観覧することができる。以上のとおり、前述の新型表示スクリーンは正投影方法を採用するとき、視聴者が全角度の画像を獲得することを確保することができないので、視聴者の観覧の効果に大きい影響を与える。
【００３０】
他の形状を有する新型表示スクリーンと不規則な形状を有する球面スクリーンを採用するときも上述した問題が発生するので、正投影方法を不規則な形状を有する球面スクリーンに採用することができない。
【００３１】
本技術分野の技術者の理解をもらうため、以下、本発明の実施例の図面により本発明の実施例に係る技術的事項を詳細に、充分に説明する。注意されたいことは、下述する実施例は本発明の例示にしか過ぎないものであり、本発明は前記実施例の構成にのみ限定されるものでない。本発明の下記の実施例により、本技術分野の技術者は創造的な研究をしなくても他の実施例を想到することができ、このような実施例があっても本発明に含まれることは勿論である。
【００３２】
本発明のある具体的な実施例では、スクリーンプロジェクターシステムを提供する。このスクリーンプロジェクターシステムは表示スクリーンと少なくとも２組のプロジェクターを含み、各組のプロジェクターは少なくとも１台のプロジェクターを含む。
【００３３】
表示スクリーンは全体密閉型ケース構造または一部分密閉型ケース構造を有し、このケース構造の内部には視野角が１８０度から３６０度である連続画像が水平方向に提供される。
【００３４】
具体的に、図３を参照すると、ケース構造は筒部３１を含み、筒部３１の側壁の軸方向の断面は平滑な円弧に形成されるかまたは直線に形成される。ケース構造は１個または２個の端部３２を更に含み、この１個または２個の端部３２と筒部３１とは平滑な構造により連結される。
【００３５】
図４を参照すると、２本の平行な点線の間の部分は筒部であり、他の部分は端部である。本発明の具体的な一実施例において、筒部の側壁の軸方向の断面は平滑な円弧に形成される。点線ｘｘ’はケース構造の軸線を示し、前述の円弧に対応する円形の半径はＲであり、前述の円弧と前述の軸線ｘｘ’との間の最大距離はｈである。Ｒはｈより大きくてもまたは小さくてもよい。Ｒがｈより大きいかまたは小さいとき、ケース構造は楕円体であってもよい。
【００３６】
図５を参照すると、２本の平行の点線の間の部分は筒部であり、他の部分は端部である。本発明の具体的な一実施例において、筒部の側壁の軸方向の断面は直線に形成される。点線ｘｘ’はケース構造の軸線を示す。
【００３７】
筒部の横方向の断面は、円形、楕円形、非対称円形、または角丸四角形であってもよい。
【００３８】
図４と図５において、視聴者（黒色の三角形で示す）は通常、円柱体側に位置し、表示スクリーンに向いて画像を見る。
【００３９】
本実施例のスクリーンプロジェクターシステムは少なくとも２組のプロジェクターを含む。少なくとも２組のプロジェクターは表示スクリーンの中心軸線方向において上下に配置され、各組のプロジェクターは画像を表示スクリーンの内壁の所定の部分にそれぞれ投影することにより、少なくとも２組のプロジェクターの光路が視聴者およびその椅子に遮断されることを避けることができる。中心軸線は表示スクリーンの中心を通過するとともに表示スクリーンを左右対称の状態に分ける。
【００４０】
各組のプロジェクターは、投影区域が異なっていることにより表示待ち画像が横方向に分割されて形成された子画像を投影し、かつこの子画像を合わせることにより無欠の表示待ち画像を形成する。
【００４１】
本出願において、プロジェクターを複数層に設け、表示スクリーンの内壁に一部分の表示待ち画像をそれぞれ投影することにより、プロジェクターの光路が視聴者の椅子に遮断されることを避けることができる。表示スクリーンが不規則な形状を有する球面スクリーンであっても、プロジェクターの光路が視聴者の椅子に遮断されることを避け、投影の効果を確保することができ、この技術を色々なスクリーンに用いることができる。
【００４２】
本発明の別の具体的な実施例では、各組のプロジェクター中の各プロジェクターは画像を表示スクリーンの内壁において表示スクリーンの中心軸線方向の垂直方向の所定の区域に投影し、各プロジェクターは、投影区域が異なっていることにより子画像が縦方向に分割されて形成された縦方向の子画像を投影し、かつ縦方向の子画像を合わせることにより子画像を形成する。
【００４３】
本出願では、パノラマスクリーンのサイズ、プロジェクターの輝度、レンズの焦点などのパラメーターにより各組のプロジェクターが含むプロジェクターの数量を確定し、画像の表示の効果を確保することができる。本出願のプロジェクターは、容易に組み立てることができ、使用上の利便性がよいという利点を有しており、かつ画像の表示の効果を確保することができる。
【００４４】
以下、具体的な実施例により上述したプロジェクターの投影の原理を詳細に説明する。
【００４５】
図６を参照すると、本実施例において、スクリーンプロジェクターシステムは表示スクリーン６１を含み、この表示スクリーン６１は全体密閉型ケース構造を有し、このケース構造の筒部は円柱体であり、端部は半球体である。円柱体の底部をカットして水平面と平行にすることにより、視聴者の椅子を容易に取り付けることができる。表示スクリーンの中心軸線方向は垂直方向である。
【００４６】
スクリーンプロジェクターシステムは垂直方向の上部に取り付けられる第一組のプロジェクター６２と垂直方向の下部に取り付けられる第二組のプロジェクター６３とを含む。第一組のプロジェクター６２は画像を表示スクリーン６１の内壁において垂直方向の下半部分に投影し、かつ表示待ち画像の下半部分の画像を投影する。第二組のプロジェクター６３は画像を表示スクリーン６１の内壁において垂直方向の上半部分に投影し、かつ表示待ち画像の上半部分の画像を投影する。
【００４７】
第一組のプロジェクター６２は、第一プロジェクター６２１、第二プロジェクター６２２、および第三プロジェクター６２３を含む。図７を参照すると、第一プロジェクター６２１は画像を表示スクリーン６１の内壁の下半部分で水平方向の左区域に投影し、かつ表示待ち画像の下半部分で左側の三分の一の画像を投影する。図８を参照すると、第二プロジェクター６２２は画像を表示スクリーン６１の内壁の下半部分で水平方向の中央区域に投影し、かつ表示待ち画像の下半部分で中央部分の三分の一の画像を投影する。図９を参照すると、第三プロジェクター６２３は画像を表示スクリーン６１の内壁の下半部分で水平方向の右区域に投影し、かつ表示待ち画像の下半部分で右側の三分の一の画像を投影する。
【００４８】
図１０を参照すると、第二組のプロジェクター６３は第四プロジェクター６３１を含む。第四プロジェクター６３１は画像を表示スクリーンの内壁において垂直方向の上半部分に投影し、かつ表示待ち画像の上半部分の画像を投影する。
【００４９】
図１１を参照すると、垂直方向の上部に取り付けられた第一組のプロジェクター６２に含まれる第一プロジェクター６２１、第二プロジェクター６２２、および第三プロジェクター６２３は、画像を表示スクリーン６１の内壁において垂直方向の下半部分に投影し、かつ表示待ち画像の下半部分の画像を投影する。第一プロジェクター６２１は表示待ち画像の下半部分で左側の三分の一の画像を投影し、第二プロジェクター６２２は表示待ち画像の下半部分で中央部分の三分の一の画像を投影し、第三プロジェクター６２３は表示待ち画像の下半部分で右側の三分の一の画像を投影する。第二組のプロジェクター６３の第四プロジェクター６３１は表示待ち画像の上半部分の画像を投影する。
【００５０】
本発明のさらなる具体的な実施例では、スクリーンプロジェクターシステムは画像供給装置を更に含むことができる。この画像供給装置は前述のプロジェクターの数量と位置に基づき表示待ち画像を分割する。分割された隣接する子画像はいずれも重畳辺縁部を有し、分割された子画像はそれぞれ所定のプロジェクターに随時に送信される。これにより所定のプロジェクターは表示スクリーン６１の内壁に所定の子画像を投影する。
【００５１】
具体的に、画像供給装置は、通常、画像分割処理ソフトウェアを含み、このソフトウェアはパソコン、サーバーなどのハードウェアにインストールされてもよいが、本発明はこれに限定されない。画像は静止画像でもよいし動画でもよい。
【００５２】
また、本出願では、ＵＳＢメモリーなどのメモリーにより分割された画像を当該画像に対応するプロジェクターに送信してもよい。このような方法は画像供給装置と接続をする必要がないので、プロジェクターの装着位置を自由に選択することができ、かつプロジェクターと画像供給装置との間の接続が遮断されることにより投影画像を送信できない問題を避けることができる。
【００５３】
本出願又は具体的な実施例において、複数個のプロジェクターにより投影される画像を一体にし、画像の間の接続の痕跡を低減するため、隣接する画像に重畳する重畳辺縁部を設け、重畳辺縁部の重畳画像を変形させるか或いは較正することができる。これにより隣接する２個の子画像で構成された画像を獲得することができる。
【００５４】
例えば、図１２は分割された２個の子画像を合わせることにより画像を獲得することを示す図である。子画像１２０１は文字Ａの上半部分を示すものであり、子画像１２０２は文字Ａの下半部分を示すものであり、この２個の子画像はいずれも矩形であり、子画像１２０１の下部の辺縁部と子画像１２０２の上部の辺縁部には重畳辺縁部１２０３が１つずつ設けられている。重畳辺縁部１２０３の画像を変形させるか或いは較正した後、子画像１２０１と子画像１２０２の重畳辺縁部１２０３を重畳させることにより、無欠の画像１２０４を形成することができる。すなわち無欠の文字Ａを獲得することができる。
【００５５】
本実施例では、第一組のプロジェクターの３個の略矩形の画像について辺縁部の重畳をすることにより、すなわち左側の三分の一の画像、中央部分の三分の一の画像、および右側の三分の一の画像について辺縁部の重畳をすることにより、表示待ち画像の下半部分の画像を形成する。表示待ち画像の下半部分の画像と表示スクリーン６１の上部に投影される表示待ち画像の上半部分の画像とを重畳させる。
【００５６】
図１３を参照すると、表示待ち画像の下半部分の画像１３１は変形して矩形の表示区域になり、この重畳辺縁部は１つの辺縁部を含む。表示待ち画像の上半部分の画像１３２は変形して矩形の表示区域になり、この重畳辺縁部は３つの辺縁部を含む。したがって、表示待ち画像の下半部分の画像１３１と表示待ち画像の上半部分の画像１３２の辺縁部を重畳させるとき、上述した辺縁部の重畳方法をそのまま採用してはいけない。すなわち、表示待ち画像の下半部分の画像１３１の重畳辺縁部を３つに分割してから辺縁部の重畳をしなければならない。
【００５７】
また、表示待ち画像の上半部分の画像１３２が表示スクリーンの上部に投影されるとき、表示待ち画像の上半部分の画像１３２は変形して矩形の表示区域になり、この重畳辺縁部は４つの辺縁部を含む。したがって、表示待ち画像の下半部分の画像１３１の重畳辺縁部を４つに分割してから辺縁部の重畳をしなければならない。
【００５８】
スクリーンプロジェクターシステムにおいて、各組のプロジェクターのプロジェクターの数量が１倍増加するとき、増加されたプロジェクターにより図３の表示スクリーンの空白区域に画像を投影し、かつ増加されたプロジェクターと元のプロジェクターを前後対称に配置することにより、表示スクリーンは３６０度のパノラマ画像を表示することができる。
【００５９】
画像の重畳区域を重畳させることは本技術分野の常用の手段であるので、本実施例においてこれを詳細に説明しない。
【００６０】
画像の重畳区域を接続重畳させることはプロジェクターにより実施してもよいし、パソコンにより実施してもよい。プロジェクターまたはパソコンにより子画像の重畳区域を重畳させ、子画像の重畳区域を較正することにより、子画像を互いに接続させかつ無欠の画像を獲得することができる。
【００６１】
図１４を参照すると、この図面は表示スクリーン６１で構成された一部分密閉型空間内に視聴者の椅子が配置されており、２組のプロジェクターで投影をする場合を示す図である。図１４において、図１４（ａ）は表示スクリーン６１を示す正面図であり、図１４（ｂ）は表示スクリーン６１を示す平面図であり、図１４（ｃ）は表示スクリーン６１を示す左側面図である。本発明において、プロジェクターを複数層に設け、表示スクリーンの内壁に一部分の表示待ち画像をそれぞれ投影することにより、プロジェクターの光路が視聴者の椅子に遮断されることを避けることができる。表示スクリーンが不規則な形状を有する球面スクリーンであっても、プロジェクターの光路が視聴者の椅子に遮断されることを避け、投影の効果を確保することができ、この技術を色々なスクリーンに用いることができる。
【００６２】
本実施例では、スクリーンプロジェクターシステムのプロジェクターとして２組を用意してきたが、実際の応用において、スクリーンプロジェクターシステムに３組のプロジェクターを設け、この３組のプロジェクターを上、中、下のような複数層に配置することができる。スクリーンプロジェクターシステムに４組または４組以上のプロジェクターを設けることもできるが、本発明においてこれを限定しない。
【００６３】
本実施例では、スクリーンプロジェクターシステムの２組のプロジェクターにおいて、第一組のプロジェクターにはプロジェクターが３個設けられ、第二組のプロジェクターにはプロジェクターが１個設けられている。実際の応用において、スクリーンプロジェクターシステムの少なくとも２組のプロジェクターにおいて、各組プロジェクターにプロジェクターを少なくとも１個設けることができるが、本技術分野の技術者は、表示スクリーンのサイズ、画像表示区域、視聴者の椅子の配置状況などによりプロジェクターの具体的な数量を自由に決めることができる。
【００６４】
（方法の実施例）
以上、本発明のスクリーンプロジェクターシステムの実施例について説明してきたが、以下、本発明のスクリーンプロジェクター方法の実施例について説明する。スクリーンプロジェクター方法はスクリーンプロジェクターシステムに用いられるものである。このスクリーンプロジェクターシステムは表示スクリーンを含み、この表示スクリーンは全体密閉型ケース構造または一部分密閉型ケース構造を有し、このケース構造の内部には視野角が１８０度から３６０度である連続画像が水平方向に提供される。このスクリーンプロジェクターシステムは少なくとも２組のプロジェクターを含み、各組のプロジェクターは少なくとも１台のプロジェクターを含む。この少なくとも２組のプロジェクターは表示スクリーンの中心軸線方向に沿って層別に配置され、各組のプロジェクターは画像を表示スクリーンの内壁の所定の部分にそれぞれ投影することにより、少なくとも２組のプロジェクターの光路が視聴者およびその椅子に遮断されることを避けることができる。中心軸線は表示スクリーンの中心を通過するとともに表示スクリーンを左右対称の状態に分ける。
【００６５】
図１５を参照すると、この図面は本発明のスクリーンプロジェクター方法の実施例を示す流れ図である。本実施例のスクリーンプロジェクター方法は、
各組のプロジェクターが、投影区域が異なっていることにより、表示待ち画像が横方向に分割されて形成された子画像を投影するステップＳ１と、
子画像を合わせることにより無欠の表示待ち画像を形成するステップＳ２とを含む。
【００６６】
本実施例において、プロジェクターを複数層に設け、表示スクリーンの内壁に一部分の表示待ち画像をそれぞれ投影することにより、プロジェクターの光路が視聴者の椅子に遮断されることを避けることができる。各組のプロジェクターは、投影区域が異なっていることにより表示待ち画像が横方向に分割されて形成された子画像を投影し、かつ子画像を合わせることにより無欠の表示待ち画像を形成する。本実施例のスクリーンプロジェクター方法により、表示スクリーンは不規則の形状を有する球面スクリーンである場合も、プロジェクターの光路が視聴者の椅子に遮断されることを避け、投影の効果を確保することができ、この方法を色々なスクリーンに用いることができる。
【００６７】
図１６を参照すると、スクリーンプロジェクター方法は、スッテプＳ１の前に、プロジェクターの数量と位置に基づき画像を分割し、分割された隣接する子画像はいずれも重畳辺縁部を有し、分割された子画像を所定のプロジェクターにそれぞれ送信するステップＳ０を更に含んでもよい。
【００６８】
少なくとも２組のプロジェクターは子画像を表示スクリーンに投影するとき、隣接する子画像の重畳辺縁部を重畳させることにより一体の画像を獲得する。すなわち、子画像を接続させることにより無欠の表示待ち画像を獲得する。
【００６９】
以上、本発明のスクリーンプロジェクターシステムとスクリーンプロジェクター方法の実施例を説明してきたが、以下、本発明のスクリーンプロジェクター装置の実施例を更に説明する。本実施例において、スクリーンプロジェクター装置は画像を表示スクリーンに投影し、この表示スクリーンは全体密閉型ケース構造または一部分密閉型ケース構造を有し、このケース構造の内部には視野角が１８０度から３６０度である連続画像が水平方向に提供される。
【００７０】
スクリーンプロジェクター装置は少なくとも２組のプロジェクターを含み、各組のプロジェクターは少なくとも１台のプロジェクターを含む。この少なくとも２組のプロジェクターは表示スクリーンの中心軸線方向において層別に配置され、各組のプロジェクターは画像を表示スクリーンの内壁の所定の部分にそれぞれ投影することにより、少なくとも２組のプロジェクターの光路が視聴者およびその椅子に遮断されることを避けることができる。中心軸線は表示スクリーンの中心を通過するとともに表示スクリーンを左右対称の状態に分ける。各組のプロジェクターは、投影区域が異なっていることにより子画像が横方向に分割されて形成された子画像を投影し、かつ子画像を合わせることにより無欠の表示待ち画像を形成する。
【００７１】
本出願では、プロジェクターを複数層に設け、表示スクリーンの内壁に一部分の表示待ち画像をそれぞれ投影することにより、プロジェクターの光路が視聴者の椅子に遮断されることを避けることができる。表示スクリーンは不規則の形状を有する球面スクリーンであっても、プロジェクターの光路が視聴者の椅子に遮断されることを避け、投影の効果を確保することができ、この技術を色々なスクリーンに用いることができる。
【００７２】
本発明のスクリーンプロジェクター装置の他の実施例では、各組のプロジェクター中の各プロジェクターは画像を表示スクリーンの内壁において表示スクリーンの中心軸線方向の垂直方向の所定の区域に投影し、各プロジェクターは、投影区域が異なっていることにより子画像が縦方向に分割されて形成された縦方向の子画像を投影し、かつ縦方向の子画像を合わせることにより子画像を形成する。
【００７３】
本発明のスクリーンプロジェクター装置の他の実施例では、前述の少なくとも２組のプロジェクターにおいて、少なくとも１組のプロジェクターは表示スクリーンの上部に画像を投影し、少なくとも１組のプロジェクターは表示スクリーンの中央部分に画像を投影する。
【００７４】
本発明のスクリーンプロジェクター装置の他の実施例では、前述の少なくとも２組のプロジェクターは、表示スクリーンの中心軸線方向の上部に取り付けられる第一組のプロジェクターと、表示スクリーンの中心軸線方向の下部に取り付けられる第二組のプロジェクターとである。第一組のプロジェクターは画像を前記表示スクリーンの内壁の中央部分に投影し、かつ表示待ち画像の下半部分の画像を投影する。第二組のプロジェクターは画像を表示スクリーンの内壁の上部に投影し、かつ表示待ち画像の上半部分の画像を投影する。
【００７５】
本発明のスクリーンプロジェクター装置の他の実施例では、表示待ち画像の下半部分の画像の１つの辺縁部と表示待ち画像の上半部分の画像の少なくとも３つの辺縁部を合わせる。
【００７６】
本発明のスクリーンプロジェクター装置の他の実施例では、前記システム（装置）は画像供給処理装置を更に含む。この画像供給処理装置は前述のプロジェクターの数量と位置に基づき画像を分割する。分割された隣接する子画像はいずれも重畳辺縁部を有し、分割された子画像は所定のプロジェクターにそれぞれ送信される。
【００７７】
以上、本発明の各実施例について１つずつ説明してきたが、各実施例中の同様または類似する技術的事項は他の実施例の説明を参照することができるので、各実施例において実施例の間の相違点について詳細に説明してきた。例えば、方法と装置の実施例はシステムの実施例と類似しているので、方法と装置の実施例について簡単に説明し、共通点についてシステムの実施例の説明を参照することができる。上述したシステムと装置の実施例は本発明の例示にしか過ぎないものであり、前記システムと装置中のユニットまたはモジュールは一体に形成されるか或いは別々に形成されることができる。また、状況によって一部分または全部のユニットまたはモジュールを選択することにより本発明の課題を解決することができる。本技術分野の技術者は創造的な研究をせずに本発明の技術的事項を容易に実施することができる。
【００７８】
以上、本発明の具体的な実施例を詳述してきたが、前記実施例は本発明の例示にしか過ぎないものであるため、本発明は前記実施例の構成にのみ限定されるものでない。本技術分野の技術者は本発明の要旨を逸脱しない範囲において設計の改善または変更をすることができ、このような改善または変更等があっても本発明に含まれることは勿論である。
【００７９】
［付記］
［付記１］
スクリーンプロジェクターシステムであって、前記システムは表示スクリーンを含み、前記表示スクリーンは全体密閉型ケース構造または一部分密閉型ケース構造を有し、前記ケース構造の内壁には視野角が１８０度から３６０度である連続画像が水平方向に提供され、前記システムは少なくとも２組のプロジェクターを更に含み、各組のプロジェクターは少なくとも１台のプロジェクターを含み、
前記少なくとも２組のプロジェクターは前記表示スクリーンの中心軸線方向において層別に配置され、各組のプロジェクターは画像を前記表示スクリーンの内壁の所定の部分にそれぞれ投影し、前記少なくとも２組のプロジェクターの光路が視聴者およびその椅子に遮断されることを避けるようにし、前記中心軸線は前記表示スクリーンの中心を通過するとともに前記表示スクリーンを左右対称の状態に分け、
各組のプロジェクターは投影区域が異なっていることにより表示待ち画像が横方向に分割されて形成された子画像を投影しかつ前記子画像を合わせることにより無欠の表示待ち画像を形成することを特徴とするスクリーンプロジェクターシステム。
【００８０】
［付記２］
前記各組のプロジェクター中の各プロジェクターは画像を前記表示スクリーンの内壁において表示スクリーンの中心軸線方向の垂直方向の所定の区域に投影し、各プロジェクターは、投影区域が異なっていることにより前記子画像が縦方向に分割されて形成された縦方向の子画像を投影し、かつ前記縦方向の子画像を合わせることにより前記子画像を形成することを特徴とする付記１に記載のスクリーンプロジェクターシステム。
【００８１】
［付記３］
前記少なくとも２組のプロジェクターにおいて、少なくとも１組のプロジェクターは前記表示スクリーンの上部に画像を投影し、少なくとも１組のプロジェクターは前記表示スクリーンの中央部分に画像を投影することを特徴とする付記２に記載のスクリーンプロジェクターシステム。
【００８２】
［付記４］
前記少なくとも２組のプロジェクターは、前記表示スクリーンの中心軸線方向の上部に取り付けられる第一組のプロジェクターと、前記表示スクリーンの中心軸線方向の下部に取り付けられる第二組のプロジェクターとであり、前記第一組のプロジェクターは画像を前記表示スクリーンの内壁の中央部分に投影するとともに前記表示待ち画像の下半部分の画像を投影し、前記第二組のプロジェクターは画像を前記表示スクリーンの内壁の上部に投影するとともに前記表示待ち画像の上半部分の画像を投影することを特徴とする付記３に記載のスクリーンプロジェクターシステム。
【００８３】
［付記５］
前記表示待ち画像の下半部分の画像の１つの辺縁部と前記表示待ち画像の上半部分の画像の少なくとも３つの辺縁部を合わせることを特徴とする付記４に記載のスクリーンプロジェクターシステム。
【００８４】
［付記６］
前記システムは画像供給処理装置を更に含み、前記画像供給処理装置は前記プロジェクターの数量と位置に基づき画像を分割し、分割された隣接する子画像はいずれも重畳辺縁部を有し、分割された子画像は所定のプロジェクターにそれぞれ送信されることを特徴とする付記１に記載のスクリーンプロジェクターシステム。
【００８５】
［付記７］
スクリーンプロジェクターシステムに用いられるスクリーンプロジェクター方法であって、前記システムは表示スクリーンを含み、前記表示スクリーンは全体密閉型ケース構造または一部分密閉型ケース構造を有し、前記ケース構造の内壁には視野角が１８０度から３６０度である連続画像が水平方向に提供され、前記システムは少なくとも２組のプロジェクターを含み、各組のプロジェクターは少なくとも１台のプロジェクターを含み、
前記少なくとも２組のプロジェクターは前記表示スクリーンの中心軸線方向に沿って層別に配置され、各組のプロジェクターは画像を前記表示スクリーンの内壁の所定の部分にそれぞれ投影し、前記少なくとも２組のプロジェクターの光路が視聴者およびその椅子に遮断されることを避けるようにし、前記中心軸線は前記表示スクリーンの中心を通過するとともに前記表示スクリーンを左右対称の状態に分け、
前記スクリーンプロジェクター方法は、各組のプロジェクターが投影区域が異なっていることにより表示待ち画像が横方向に分割されて形成された子画像を投影するステップと、
前記子画像を合わせることにより無欠の表示待ち画像を形成するステップとを含むことを特徴とするスクリーンプロジェクター方法。
【００８６】
［付記８］
前記スクリーンプロジェクター方法は、前記各組のプロジェクターが投影区域が異なっていることにより表示待ち画像が横方向に分割されて形成された子画像を投影するステップの前に、前記プロジェクターの数量と位置に基づき画像を分割し、分割された隣接する子画像はいずれも重畳辺縁部を有し、分割された子画像を所定のプロジェクターにそれぞれ送信するステップを更に含むことを特徴とする付記７に記載のスクリーンプロジェクター方法。
【００８７】
［付記９］
表示スクリーンに画像を投影するスクリーンプロジェクター装置であって、前記表示スクリーンは全体密閉型ケース構造または一部分密閉型ケース構造を有し、前記ケース構造の内壁には視野角が１８０度から３６０度である連続画像が水平方向に提供され、前記スクリーンプロジェクター装置は少なくとも２組のプロジェクターを更に含み、各組のプロジェクターは少なくとも１台のプロジェクターを含み、
前記少なくとも２組のプロジェクターは前記表示スクリーンの中心軸線方向において層別に配置され、各組のプロジェクターは画像を前記表示スクリーンの内壁の所定の部分にそれぞれ投影し、前記少なくとも２組のプロジェクターの光路が視聴者およびその椅子に遮断されることを避けるようにし、前記中心軸線は前記表示スクリーンの中心を通過するとともに前記表示スクリーンを左右対称の状態に分け、
各組のプロジェクターは投影区域が異なっていることにより表示待ち画像が横方向に分割されて形成された子画像を投影し、前記子画像を合わせることにより無欠の表示待ち画像を形成することを特徴とするスクリーンプロジェクター装置。
【００８８】
［付記１０］
前記各組のプロジェクター中の各プロジェクターは画像を前記表示スクリーンの内壁において表示スクリーンの中心軸線方向の垂直方向の所定の区域に投影し、各プロジェクターは投影区域が異なっていることにより前記子画像が縦方向に分割されて形成された縦方向の子画像を投影しかつ前記縦方向の子画像を合わせることにより前記子画像を形成することを特徴とする付記９に記載のスクリーンプロジェクター装置。
【００８９】
［付記１１］
前記少なくとも２組のプロジェクターにおいて、少なくとも１組のプロジェクターは前記表示スクリーンの上部に画像を投影し、少なくとも１組のプロジェクターは前記表示スクリーンの中央部分に画像を投影することを特徴とする付記１０に記載のスクリーンプロジェクター装置。
【００９０】
［付記１２］
前記少なくとも２組のプロジェクターは、前記表示スクリーンの中心軸線方向の上部に取り付けられる第一組のプロジェクターと、前記表示スクリーンの中心軸線方向の下部に取り付けられる第二組のプロジェクターとであり、前記第一組のプロジェクターは画像を前記表示スクリーンの内壁の中央部分に投影するとともに前記表示待ち画像の下半部分の画像を投影し、前記第二組のプロジェクターは画像を前記表示スクリーンの内壁の上部に投影するとともに前記表示待ち画像の上半部分の画像を投影することを特徴とする付記１１に記載のスクリーンプロジェクター装置。
【００９１】
［付記１３］
前記表示待ち画像の下半部分の画像の１つの辺縁部と前記表示待ち画像の上半部分の画像の少なくとも３つの辺縁部を合わせることを特徴とする付記１２に記載のスクリーンプロジェクター装置。
【００９２】
［付記１４］
前記装置は画像供給処理装置を更に含み、前記画像供給処理装置は前記プロジェクターの数量と位置に基づき画像を分割し、分割された隣接する子画像はいずれも重畳辺縁部を有し、分割された子画像は所定のプロジェクターにそれぞれ送信されることを特徴とする付記１３に記載のスクリーンプロジェクター装置。
【図１】
2020092450.tif 000003
【図２】
2020092450.tif 000004
【図３】
2020092450.tif 000005
【図４】
2020092450.tif 000006
【図５】
2020092450.tif 000007
【図６】
2020092450.tif 000008
【図７】
2020092450.tif 000009
【図８】
2020092450.tif 000010
【図９】
2020092450.tif 000011
【図１０】
2020092450.tif 000012
【図１１】
2020092450.tif 000013
【図１２】
2020092450.tif 000014
【図１３】
2020092450.tif 000015
【図１４】
2020092450.tif 000016
【図１５】
2020092450.tif 000017
【図１６】
2020092450.tif 000018
【外国語明細書】
2020092450000001.pdf